(57)【要約】【課題】利用者にとって利便性が高く、付加価値の高い処理を行うことが可能な画像出力受付端末等を提供する【解決手段】画像出力受付端末１は、利用者が入力した文字に対応して予め設定された処理を行うことができる。文字マッチング手段２６は入力された文字データが文字マッチングデータ２８内にあるか判断する。入力された文字データが文字マッチングデータ２８内にある場合には、文字マッチング手段２６は文字データに対応して予め設定された処理を行う。文字マッチングデータ２８は、特定の文字または文字列と、これに対応する処理、処理の実行ファイルのパスなどから構成されている。表示手段２４は、特殊な処理が行われる際に、メッセージや動画を表示する。課金手段２５は、行われる処理によっては、特殊な課金処理および特殊なレシート５７の発行を行う。記憶部３２には、文字マッチングデータ２８等が記憶される。【選択図】図３
2014206851.tif 000002
【特許請求の範囲】
【請求項１】
画像データを入力する画像データ入力手段と、
文字列を入力する文字入力手段と、
前記画像データに、入力された前記文字列を合成する文字合成手段と、
入力された前記文字列が、予め定められた処理と対応付けられている場合には、当該処理を行う文字マッチング手段と、
前記文字列を合成した前記画像データを出力する画像出力手段と、
を備えることを特徴とする画像出力受付端末。
【請求項２】
１つ以上の文字列と、前記処理との対応関係をデータとして記憶する記憶手段を、さらに備え、
前記文字マッチング手段は、入力された前記文字列中に、前記１つ以上の文字列が含まれている場合に、当該１つ以上の文字列と対応付けられた前記処理行う
ことを特徴とする請求項１に記載の画像出力受付端末。
【請求項３】
１つ以上の文字列と、前記処理との対応関係をデータとして記憶する記憶手段を、さらに備え、
前記文字マッチング手段は、入力された前記文字列中に、前記１つ以上の文字列に類似する文字列が含まれている場合に、当該１つ以上の文字列と対応付けられた前記処理行う
ことを特徴とする請求項１に記載の画像出力受付端末。
【請求項４】
前記処理は、前記画像データを出力する際に課金する料金の割引処理である
ことを特徴とする請求項１乃至請求項３のいずれかに記載の画像出力受付端末。
【請求項５】
前記処理は、前記画像出力受付端末の備えるレシートプリンタから発行される領収書に対するメッセージの追加処理である
ことを特徴とする請求項１乃至請求項３のいずれかに記載の画像出力受付端末。
【請求項６】
前記処理は、特殊なフレームを画像データに合成する処理である
ことを特徴とする請求項１乃至請求項３のいずれかに記載の画像出力受付端末。
【請求項７】
前記処理は、前記画像出力受付端末の備える表示手段に特殊な動画を表示する処理である
ことを特徴とする請求項１乃至請求項３のいずれかに記載の画像出力受付端末。
【請求項８】
前記１つ以上の文字列は、宣伝効果のある文字列である
ことを特徴とする請求項２乃至請求項７のいずれかに記載の画像出力受付端末。
【請求項９】
画像受付出力端末においてコンピュータが行う画像出力受付方法であって、
画像データを入力する画像データ入力ステップと、
文字列を入力する文字入力ステップと、
前記画像データに、入力された前記文字列を合成する文字合成ステップと、
入力された前記文字列が、予め定められた処理と対応付けられている場合には、当該処理を行う文字マッチングステップと、
前記文字列を合成した前記画像データを出力する画像出力ステップと、
を含むことを特徴とする画像出力受付方法。
【請求項１０】
コンピュータを、
画像データを入力する画像データ入力手段、
文字列を入力する文字入力手段、
前記画像データに、入力された前記文字列を合成する文字合成手段、
入力された前記文字列が、予め定められた処理と対応付けられている場合には、当該処理を行う文字マッチング手段、
前記文字列を合成した前記画像データを出力する画像出力手段、
として機能させるためのプログラム。
【請求項１１】
画像出力受付端末と管理用サーバとがネットワークを介して接続された画像出力受付システムであって、
前記画像出力受付端末は、
１つ以上の文字列と、前記処理との対応関係をデータとして記憶する記憶手段と、
画像データを入力する画像データ入力手段と、
文字列を入力する文字入力手段と、
前記画像データに、入力された前記文字列を合成する文字合成手段と、
入力された前記文字列中に、前記１つ以上の文字列が含まれている場合に、当該１つ以上の文字列と対応付けられた前記処理行う文字マッチング手段と、
前記文字列を合成した前記画像データを出力する画像出力手段と、
を備え、
前記管理用サーバは、
前記１つ以上の文字列と、前記処理との対応関係を設定する文字マッチング管理手段と、
前記１つ以上の文字列と、前記処理との対応関係をデータとして、前記画像出力受付端末へ送信する送信手段と、
を備える
ことを特徴とする画像出力受付システム。
【発明の詳細な説明】
【技術分野】
【０００１】
本発明は、文字を合成した画像データの印刷を受け付ける画像出力受付端末等に関し、特に利用者によって入力された文字に対応して予め定められた処理を行う画像出力受付端末等に関する。
【背景技術】
【０００２】
近年、利用者が所有する画像データの印刷を行う画像出力受付端末が広く普及している。利用者は、画像出力受付端末を操作することにより、デジタルカメラ等で撮影した画像を印刷することができる。このような画像出力受付端末では、利用者の好みのテキスト（文字列）や模様などを、画像に合成して印刷することが可能なものがある。また、通常の画像出力受付の処理に加えて、利用者に再度の利用を促すいわゆる販売促進のために、値引きやおまけの提供等のサービスを行う画像出力受付端末もある。
【０００３】
画像とテキストを合成する技術に関して、タッチパネル上の文字入力パレットから利用者が入力した文字を画像データと合成し、合成された画像データを印刷する画像プリントシステム等の技術が特許文献１に記載されている。また、利用者による印刷注文枚数や注文金額に応じて、おまけの写真やクーポンが印刷可能な画像プリントシステム等の技術が特許文献２に記載されている。
【先行技術文献】
【特許文献】
【０００４】
【特許文献１】特開２００４−４８６４７号公報
【特許文献２】特開２００８−８４２８１号公報
【発明の概要】
【発明が解決しようとする課題】
【０００５】
しかしながら、販売促進や利用者の利便性のために、画像出力受付端末が行う処理にサービスを追加しても、サービスを受けるためのボタン操作が増えてしまい、利用者にとっては画像出力受付端末の操作がかえって煩わしくなるという問題があった。
【０００６】
本発明は、前述した問題点に鑑みてなされたもので、利用者にとって利便性が高く、付加価値の高い処理を行うことが可能な画像出力受付端末等を提供することを目的とする。
【課題を解決するための手段】
【０００７】
前述した目的を達成するための第１の発明は、画像データを入力する画像データ入力手段と、文字列を入力する文字入力手段と、前記画像データに、入力された前記文字列を合成する文字合成手段と、入力された前記文字列が、予め定められた処理と対応付けられている場合には、当該処理を行う文字マッチング手段と、前記文字列を合成した前記画像データを出力する画像出力手段と、を備えることを特徴とする画像出力受付端末である。
なお、ここでいう「文字列」は、1つ以上の文字の列である。
【０００８】
第１の発明によれば、利用者が入力した文字に対応して、予め設定された特殊な処理を行うことができる。通常の処理から特殊な処理へ、または特殊な処理から通常の処理へ切り替わっても、余計なボタン操作などはないので、利用者が本発明の画像出力受付端末の利用を煩わしく感じることはなく、利用者にとって利便性が高い。
【０００９】
また、前記処理は特定の文字または文字列と予め関係付けられており、前記文字マッチング手段は、前記入力された文字または文字列中に前記特定の文字または文字列が含まれている場合に、前記処理を行うことが望ましい。
【００１０】
また、第１の発明の画像出力受付端末は、１つ以上の文字列と、前記処理との対応関係をデータとして記憶する記憶手段を、さらに備え、前記文字マッチング手段は、入力された前記文字列中に、前記１つ以上の文字列が含まれている場合に、当該１つ以上の文字列と対応付けられた前記処理行うことが望ましい。
これにより、入力された文字列中に、処理と対応付られた１つ以上の文字列がある場合には、当該処理を行わせることができる。
【００１１】
また、第１の発明の画像出力受付端末は、１つ以上の文字列と、前記処理との対応関係をデータとして記憶する記憶手段を、さらに備え、前記文字マッチング手段は、入力された前記文字列中に、前記１つ以上の文字列に類似する文字列が含まれている場合に、当該１つ以上の文字列と対応付けられた前記処理行うことが望ましい。
これにより、入力された文字列中に、処理と対応付られた１つ以上の文字列と類似する文字列がある場合には、当該処理を行わせることができる。
【００１２】
また、第１の発明の前記処理は、前記画像データを出力する際に課金する料金の割引処理であることが望ましい。
これにより、所定の文字列が入力された場合、割引処理を行わせることができる。
【００１３】
また、第１の発明の前記処理は、前記画像出力受付端末の備えるレシートプリンタから発行される領収書に対するメッセージの追加処理であることが望ましい。
これにより、所定の文字列が入力された場合、メッセージの追加処理を行わせることができる。
【００１４】
また、第１の発明の前記処理は、特殊なフレームを画像データに合成する処理であることが望ましい。
これにより、所定の文字列が入力された場合、特殊なフレームを画像データに合成させることができる。
【００１５】
また、第１の発明の前記処理は、前記画像出力受付端末の備える表示手段に特殊な動画を表示する処理であることが望ましい。
これにより、所定の文字列が入力された場合、特殊な動画を表示させることができる。
【００１６】
また、第１の発明の前記１つ以上の文字列は、宣伝効果のある文字列であることが望ましい。
これにより、宣伝効果のある文字列が入力された場合、何らかの処理を行わせることができ、画像出力受付端末の利用促進等につなげることができる。
【００１７】
第２の発明は、画像受付出力端末においてコンピュータが行う画像出力受付方法であって、画像データを入力する画像データ入力ステップと、文字列を入力する文字入力ステップと、前記画像データに、入力された前記文字列を合成する文字合成ステップと、入力された前記文字列が、予め定められた処理と対応付けられている場合には、当該処理を行う文字マッチングステップと、前記文字列を合成した前記画像データを出力する画像出力ステップと、を含むことを特徴とする画像出力受付方法である。
【００１８】
第２の発明によれば、利用者が入力した文字に対応して、予め設定された特殊な処理を行うことができる。通常の処理から特殊な処理へ、または特殊な処理から通常の処理へ切り替わっても、余計なボタン操作などはないので、利用者が本発明の画像出力受付端末の利用を煩わしく感じることはなく、利用者にとって利便性が高い。
【００１９】
第３の発明は、コンピュータを、画像データを入力する画像データ入力手段、
文字列を入力する文字入力手段、前記画像データに、入力された前記文字列を合成する文字合成手段、入力された前記文字列が、予め定められた処理と対応付けられている場合には、当該処理を行う文字マッチング手段、前記文字列を合成した前記画像データを出力する画像出力手段、として機能させるためのプログラムである。
第３の発明を、汎用コンピュータにインストールすることによって、第１の発明を得て、第２の発明を実施することができる。
【００２０】
第４の発明は、画像出力受付端末と管理用サーバとがネットワークを介して接続された画像出力受付システムであって、前記画像出力受付端末は、１つ以上の文字列と、前記処理との対応関係をデータとして記憶する記憶手段と、画像データを入力する画像データ入力手段と、文字列を入力する文字入力手段と、前記画像データに、入力された前記文字列を合成する文字合成手段と、入力された前記文字列中に、前記１つ以上の文字列が含まれている場合に、当該１つ以上の文字列と対応付けられた前記処理行う文字マッチング手段と、前記文字列を合成した前記画像データを出力する画像出力手段と、を備え、前記管理用サーバは、前記１つ以上の文字列と、前記処理との対応関係を設定する文字マッチング管理手段と、前記１つ以上の文字列と、前記処理との対応関係をデータとして、前記画像出力受付端末へ送信する送信手段と、を備えることを特徴とする画像出力受付システムである。
第４の発明によって、管理用サーバ側において、１つ以上の文字列と、処理との対応関係を設定することができる。また、これは、接続されている画像出力受付端末個別に行ってもよく、一括して行っても良い。
【発明の効果】
【００２１】
本発明により、利用者にとって利便性が高く、付加価値の高い処理を行うことが可能な画像出力受付端末等を提供することができる。
【図面の簡単な説明】
【００２２】
【図１】画像出力受付端末１の外観斜視図
【図２】画像出力受付端末１のハードウエアの構成を示す図
【図３】画像出力受付端末１のシステム構成を示す図
【図４】画像出力受付端末１の処理の概略を示すフローチャート
【図５】編集画面６００の例を示す図
【図６】文字マッチングデータ２８の例を示す図
【図７】メッセージ画面６０４の例を示す図
【図８】レシート５７の例を示す図
【図９】文字に対応して予め設定された処理の例を示すフローチャート
【図１０】編集画面６００の他の例を示す図
【図１１】動画画面６０６の例を示す図
【図１２】画像出力受付端末１の管理用システム構成を示す図
【図１３】画像出力受付端末１の文字マッチング管理処理の概略を示すフローチャート
【図１４】管理画面７００の例を示す図
【図１５】画像出力受付システム１００のシステム構成を示す図
【図１６】管理用ＰＣ３および管理用サーバ５のハードウエアの構成を示す図
【発明を実施するための形態】
【００２３】
（１．画像出力受付端末１）
以下、図面に基づいて、本発明の実施形態を詳細に説明する。図１は、本発明の実施形態に係る画像出力受付端末１の外観斜視図である。
【００２４】
画像出力受付端末１は、店頭において、メディア（記憶媒体）や携帯端末に記憶されている画像データの印刷を受け付け、利用者の選択、支持により文字列や模様などを画像に合成して、印刷を行う端末である。利用者が画像に合成するための文字を入力すると、画像出力受付端末１は、入力された文字に対応して予め設定された処理を行う。
【００２５】
メディアは、例えば、ＤＶＤ−ＲＯＭ／ＤＶＤ−ＲＷ／ＤＶＤ−ＲＡＭ／ブルーレイディスク／ＣＤ−ＲＯＭ／ＣＤ−Ｒ／ＣＤ−ＲＷ、コンパクトフラッシュ（登録商標）、ＳＤ（Ｓｅｃｕｒｅ  Ｄｉｇｉｔａｌ）カード、ミニＳＤカード、マイクロＳＤカード、ｘＤ−ピクチャーカード、Ｓｍａｒｔ  Ｍｅｄｉａ（登録商標）、ＭＥＭＯＲＹ  ＳＴＩＣＫ（登録商標）、ＵＳＢ（Ｕｎｉｖｅｒｓａｌ  Ｓｅｒｉａｌ  Ｂｕｓ）メモリ等である。
【００２６】
携帯端末は、例えば、スマートホン、ｉＰｈｏｎｅ（登録商標）、カメラ付き携帯電話機、ｉＰａｄ（登録商標）、携帯型パーソナルコンピュータ等である。
【００２７】
画像出力受付端末１の上部正面には、タッチパネル付ディスプレイ４４が配置されている。タッチパネル付ディスプレイ４４は、操作の案内、操作の状況、読み込んだ画像データ等を表示するとともに、利用者からの指示操作を受け付ける。利用者は、タッチパネル付ディスプレイ４４を介して、プリントを行なう画像データの注文枚数や画像データの選択、画像データに合成するための文字の入力、画像と文字の合成、画像編集の指示等を行う。
【００２８】
タッチパネル付ディスプレイ４４の下部には、メディア投入口１２が設けられている。メディア投入口１２は、各メディアの挿入口であり、複数の挿入口が１箇所にまとめて配置されている。
【００２９】
画像出力受付端末１の下段部には、硬貨投入口１３および紙幣挿入口１４のような料金投入口、つり銭レシート紙取出口１５、プリント物取出口１６等が設けられている。
【００３０】
硬貨投入口１３、紙幣挿入口１４、つり銭レシート紙取出口１５等は、利用者によるプリント物の注文内容に応じた入金を要求、処理する課金手段として機能する。利用者は、硬貨投入口１３に硬貨を投入したり、紙幣挿入口１４に紙幣を挿入したりすることにより、プリント物の料金を支払う。つり銭がある場合には、つり銭レシート紙取出口１５から放出される。また、料金徴収後、徴収金額や注文内容等が印刷されたレシートもつり銭レシート紙取出口１５から放出される。
【００３１】
プリント物取出口１６には、画像出力受付端末１の筐体内に設置されるプリンタ４３により印刷されたプリント物が放出される。
【００３２】
次に、画像出力受付端末１の基本的動作について説明する。画像出力受付端末１は、画像データを液晶ディスプレイ等のタッチパネル付ディスプレイ４４に表示する。利用者は、タッチパネル付ディスプレイ４４に設けられたタッチパネルにより、画像と合成するための文字または文字列を入力する。入力された文字または文字列に対応して予め定められた処理を画像出力受付端末１が行い、その後、文字または文字が合成された画像を印刷する。
【００３３】
（２．画像出力受付端末１のハードウエアの構成）
図２は、画像出力受付端末１のハードウエアの構成例を示すブロック図である。
画像出力受付端末１は、コンピュータ３０、メディア入出力部４１、通信部４２、プリンタ４３、ディスプレイ（タッチパネル付）４４、コインメック４５、ビルバリ４６、レシートジャーナル処理部（レシートプリンタ）４７等を備える。
【００３４】
コンピュータ３０は、制御部３１、記憶部３２、入出力部３３、通信部３５等から構成され、メディア入出力部４１、通信部４２、プリンタ４３、ディスプレイ４４、コインメック４５、ビルバリ４６、およびレシートジャーナル処理部４７等を制御する。
【００３５】
コンピュータ３０の制御部３１は、プログラムの実行を行うＣＰＵ（Ｃｅｎｔｒａｌ  ｐｒｏｃｅｓｓｉｎｇ  Ｕｎｉｔ）と、プログラム命令あるいはデータ等を格納するためのＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等で構成される。制御部３１は、記憶部３２等に格納されたプログラムに従って、バス３６を介して接続された各装置を制御する。プログラムのコードは、制御部３１により必要に応じて読み出され、ＲＡＭに移され、ＣＰＵに読み出されて各種機能として実行される。
【００３６】
記憶部３２には、コンピュータ３０の制御部３１が実行するプログラム、プログラム実行に必要なデータ、ＯＳ（Ｏｐｅｒａｔｉｎｇ  Ｓｙｓｔｅｍ）等が格納される。プログラムは、例えば、画像入力プログラム、画像編集プログラム、テキスト合成プログラム、印刷実行プログラム、課金処理プログラム、レシート印刷処理プログラム、保守プログラム等である。データは、例えば、文字マッチングデータ２８、画像データ、文字データ等である。
【００３７】
入出力部３３は、記憶部３２に格納されているプログラム等の更新や、画像出力受付端末１の設定等を行うメンテナンス時に用いられる。
【００３８】
コンピュータ３０の通信部３５は、通信制御装置、通信ポート等を有し、画像出力受付端末１と図示せぬネットワーク間の通信を媒介する通信インタフェースである。コンピュータ３０の通信部３５は、ネットワークを介して画像出力受付端末１と他の外部装置との通信制御を行う。
【００３９】
メディア入出力部４１は、メディア投入口１２の各メディアの挿入口に対応して画像出力受付端末１内部に設けられ、挿入されたメディアに予め記憶されている画像データを読み込む。また、利用者の指示操作により、編集後の画像データをメディアに記録する。
【００４０】
通信部４２は、無線通信等によって携帯端末に予め記憶されている画像データを読み込むほか、利用者の指示操作により、編集後の画像データを携帯端末に送信する。その他、画像データの入出力に関しては、ネットワークを介してオンラインにて画像データを入出力するようにしてもよい。
ディスプレイ４４は、タッチパネル付ディスプレイである。編集画面、メッセージ画面、動画画面、管理画面など、制御部３１によって様々な表示が行われるほか、利用者や管理者によって入力手段としても利用される。
【００４１】
プリンタ４３は、プリント物取出口１６に対応して画像出力受付端末１内部に設けられ、画像データを印刷しプリント物として出力する。プリンタ４３は、画像データを印刷する高解像度カラープリンタであり、熱転写プリンタあるいはインクジェット型などのプリンタの方式は特に問わない。また、プリンタ４３は画像出力受付端末１から分離して設置されてもよい。
【００４２】
コインメック４５、ビルバリ４６、レシートジャーナル処理部４７は、課金機能の役割を果たす。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。レシートジャーナル処理部４７は、レシート取出口１５に対応して画像出力受付端末１内部に設けられ、利用者の注文内容や値引き処理に応じたレシートを印刷する。
【００４３】
（３．画像出力受付端末１のシステム構成）
図３は、画像出力受付端末１のシステム構成図である。画像出力受付端末１は、文字入力手段２１、文字マッチング手段２６、画像データ入力手段２２、印刷手段２３、課金手段２５、文字合成手段２７等を備える。
【００４４】
文字入力手段２１は、タッチパネル上の文字ボタンから利用者が入力した文字データを取得し、記憶部３２に保持する。さらに文字入力手段２１は、文字データを文字マッチング手段２６に送る。
【００４５】
文字マッチング手段２６は入力された文字データ中に文字マッチングデータ２８内の特定の文字または文字列のデータが含まれているか判断する。含まれている場合には、文字マッチング手段２６は特定の文字または文字列に対応して予め設定された処理を行う。
【００４６】
画像データ入力手段２２は、予め画像データが記録されたメディア５１や携帯端末５２から画像データを取得し記憶部３２に保持する。
文字合成手段２７は、画像データに入力された文字データを合成し、画像データを新たに作成するものである。新たに作成された画像データは記憶部３２に保存される。
【００４７】
印刷手段２３は、画像データを印刷する高解像度カラープリンタであり、プリント物５３を印刷、出力する。
表示手段２４は、画像出力受付の処理に関する各種の画面を表示するほか、文字マッチングデータ２８で予め設定されている処理が行われる際に、メッセージや動画を表示する。
【００４８】
課金手段２５は、課金機を装備する。課金手段２５は、利用者によるプリント物５３の印刷注文に応じた料金を算出、表示し、利用者に入金を提示し課金処理を行い、レシート５７を発行し、つり銭を利用者に返す。また、課金手段２５は、文字マッチングデータ２８で予め設定されている処理によっては、特殊な課金処理および特殊なレシート５７の発行を行う。
【００４９】
記憶部３２には、文字マッチングデータ２８、画像データ、文字データ等が記憶される。これらのデータは、画像データの印刷または出力が終了すると消去される。
【００５０】
（４．画像出力受付端末１の処理の概略）
次に、図４のフローチャートを参照して、画像出力受付端末１の処理の概略について説明する。図４は、画像出力受付端末１の処理の概略を示すフローチャートである。
【００５１】
画像出力受付端末１の制御部３１は、ディスプレイ４４上にサービス内容、手順、案内等を示すメニュー画面（不図示）を表示し（ステップＳ１０１）、利用者にサービスの手順や内容等を選択、指示させる。例えば、利用者は、各種のメディア５１あるいは携帯端末５２による入力や、支払い方法等を選択する。その後、画像出力受付端末１の制御部３１は、利用者に画像データの入力を促す。
【００５２】
利用者が、メディア５１をメディア投入口１２に挿入、あるいは携帯端末５２を無線通信により画像出力受付端末１と接続すると、画像出力受付端末１の制御部３１は、メディア入出力部４１のメディア５１に適合するメディア入出力部４１あるいは通信部４２を起動し、挿入されたメディア５１あるいは携帯端末５２に記憶された画像データ２１を読み込み、記憶部３２に格納する（ステップＳ１０２）。
【００５３】
画像出力受付端末１の制御部３１は、案内画面（不図示）をディスプレイ４４に表示して、利用者に画像データ２１の注文枚数の決定や、画像データ２１の編集等が可能であることを案内する。利用者が画像への文字入れを選択した場合には、編集画面６００（図５）を表示し、画像６０１中の文字入力枠６０３に、編集画面６００上の文字ボタン６０２を使って文字を入力するよう利用者に促す（ステップＳ１０３）。
利用者が文字を編集画面６００中の文字入力枠６０３に文字を入力すると、画像出力受付端末１の制御部３１は入力された文字を読み込む（ステップＳ１０４）とともに、画像に文字を合成する編集を行って新しい画像データを作成し、この画像データを記憶部３２に格納する。
なお、利用者によって入力される文字は、1文字、又は、１文字以上の文字列であり、以下では、入力される文字が1文字であるのか、１文字以上の文字列であるのか、特に区別しない。
【００５４】
入力された文字を読み込む際に、画像出力受付端末１の制御部３１は画像出力受付端末１のマッチング機能が有効であるかどうか判断する（ステップＳ１０５）。
マッチング機能が有効である場合には、画像出力受付端末１の制御部３１は後述する文字マッチング処理（ステップＳ１０６〜ステップＳ１０７）を行った後、画像を印刷する処理（ステップＳ１１１）を行う。
【００５５】
マッチング機能が有効でない場合（ステップＳ１０５のＮ）には、通常のステップＳ１０８〜Ｓ１１０の処理が行われる。ステップＳ１０８では、利用者により注文が決定されると、通常の課金処理を実行する。すなわち、制御部３１は、印刷注文に対する代金の合計金額を算出してディスプレイ４４に表示する（ステップＳ１０８）。
【００５６】
利用者が入金を行うと、画像出力受付端末１の制御部３１は、合計金額、注文内容などを表示レシートをレシートジャーナル処理部（レシートプリンタ）４７で印刷して発行する（ステップＳ１０９）。レシート５７は、レシート取出口１５から放出される。
画像出力受付端末１の制御部３１は、画像データを印刷中であることをディスプレイ４４に表示して利用者に知らせるとともに、ディスプレイ４４に通常の動画を表示する（ステップＳ１１０）。
【００５７】
最後に画像出力受付端末１の制御部３１は、画像データの印刷をプリンタ４３により開始する（ステップＳ１１１）、プリント物５３は、プリント物取出口１６に排出される。
【００５８】
（５．文字マッチング処理）
次に、画像出力受付端末１の制御部３１が行う文字マッチング処理（ステップＳ１０６〜ステップＳ１０７）について、図５〜１１を参照して説明する。
【００５９】
ステップＳ１０６では、画像出力受付端末１の制御部３１は、ステップＳ１０４で読み込んだ文字が特定の文字であるかどうか判断する（ステップＳ１０６）。特定の文字とは、文字マッチングデータ２８内に予め設定された文字のことで、この特定の文字とともに、後に行われる特殊な処理が設定されている。
【００６０】
ステップＳ１０６での判断は、文字のデータについて言い換えれば、入力された文字データと文字マッチングデータ２８とを比較して、これらの間に共通する文字のデータが存在するかどうかを判断することである。ステップＳ１０４で読み込まれた文字および特定の文字は、複数の文字すなわち文字列でも、複数の文字や文字列を組み合わせたものでもよい。なお、２つのデータを比較して共通のデータを検索、抽出する方法は一般的なデータ比較手法を用いればよいので、ここでは説明しない。
【００６１】
ステップＳ１０４で読み込んだ文字が特定の文字である場合（ステップＳ１０６のＹ）には、次のステップＳ１０７の処理に進む。ステップＳ１０７では、入力された特定の文字に対応して予め定められた処理、すなわち特定の文字とともに文字マッチングデータ２８内に設定された処理が行われる（ステップＳ１０７）。文字マッチングデータ２８内に設定された処理は、通常の処理（ステップＳ１０８〜ステップＳ１１０）とは一部または全部が異なる特殊な処理である。
【００６２】
特定の文字でない場合（ステップＳ１０６のＮ）には、ステップＳ１０５でマッチング機能が有効でなかった場合と同様に、通常の処理Ｓ１０８〜Ｓ１１０を行った後、画像を印刷して（ステップＳ１１１）、すべての処理を終了する。
【００６３】
（６．文字マッチング処理の具体例）
ここで、文字マッチング処理（ステップＳ１０６〜Ｓ１０７）の３つの例を具体的に説明する。
（６．１  文字マッチング処理の例１；割引と領収書メッセージ）
第１の例は、ステップＳ１０４で編集画面６００（図５を参照）上に利用者が「ＯＯカメラできれいにプリントできたよん」と１９個の文字からなる文字列を入力した場合である。この場合、まず画像出力受付端末１の制御部３１は、この文字列データと文字マッチングデータ２８とを比較する。
【００６４】
文字マッチングデータ２８（図６を参照）には特定の文字として「きれい」と「ＯＯカメラ」の２つの文字列の組み合わせが設定され、これに対応して、後に行われる処理である「価格変更２０円割引」および「領収書メッセージ」が設定されている。利用者が入力した文字列にも「きれい」および「ＯＯカメラ」の文字列が含まれている。したがって、画像出力受付端末１の制御部３１は、利用者によって特定の文字が入力されたと判断し（ステップＳ１０６のＹ）、次のステップＳ１０７の処理に進む。
【００６５】
次に画像出力受付端末１の制御部３１は、文字マッチングデータ２８に特定の文字「きれい」と「ＯＯカメラ」に対応して予め設定されている処理「価格変更２０円割引」および「領収書メッセージ」を行う。文字マッチングデータ２８には、これらの処理の実行ファイルのパス（図６を参照）も設定されているので、画像出力受付端末１の制御部３１はこれにしたがって処理を実行する（ステップＳ１０７）。
【００６６】
ステップＳ１０７では、図９（ａ）に示されるフローチャート（ステップＳ２０１〜Ｓ２０４）に沿って、処理「価格変更２０円割引」および「領収書メッセージ」が行われる。
「価格変更２０円割引」の処理では、画像出力受付端末１の制御部３１は、ディスプレイ４４にメッセージ画面６０４（図７を参照）を表示して価格の変更を利用者に知らせる（ステップＳ２０１）。
利用者により注文が決定されると、価格変更を伴う特殊な課金処理を実行する。すなわち、制御部３１は、価格変更後の合計金額を算出してディスプレイ４４に表示する（ステップＳ２０２）。
【００６７】
利用者が入金を行うと、画像出力受付端末１の制御部３１は「領収書メッセージ」処理を行う。画像出力受付端末１の制御部３１は、価格変更後の合計金額、注文内容などに加えてメッセージを表示する特殊なレシート５７（図８参照）をレシートジャーナル処理部（レシートプリンタ）４７で印刷して発行する（ステップＳ２０３）する。
【００６８】
最後に画像出力受付端末１の制御部３１は、画像データを印刷中であることをディスプレイ４４に表示して利用者に知らせるとともに、ディスプレイ４４に通常の動画を表示する（ステップＳ２０４）。この例では、動画についての特殊な処理は設定されていないので、通常の動画が表示される。
【００６９】
ステップＳ２０１〜Ｓ２０４の後、画像出力受付端末１の制御部３１は、通常の処理と同様にステップＳ１１１（図４）で画像の印刷を開始し、すべての処理を終える。
【００７０】
以上に説明したように、利用者が入力した文字である「きれい」および「ＯＯカメラ」に対応して、予め定められた処理「価格変更２０円割引」および「領収書メッセージ」を画像出力受付端末１の制御部３１が行うことができる。
この例では、利用者による文字の入力を契機に通常の課金処理から値引き用の特殊課金処理に切り替わっている。切り替えに伴って、利用者による画像出力受付端末１の操作は増えないので、利用者が画像出力受付端末１の利用を煩わしく感じることはない。
【００７１】
（６．２  文字マッチング処理の例２；フレーム付プリント）
第２の例は、利用者が「はっぴー」という文字列を入力した場合である。この場合も、まず画像出力受付端末１の制御部３１は、この文字列データと文字マッチングデータ２８（図６）とを比較する。文字マッチングデータ２８中には「ハッピー」が設定されている。「はっぴー」は「ハッピー」と同等の文字列であるから、画像出力受付端末１の制御部３１は、利用者によって入力された文字列が特定の文字列に該当すると判断し（ステップＳ１０６のＹ）、次のステップＳ１０７の処理に進む。
【００７２】
文字マッチングデータ２８中では、「ハッピー」に対応する処理として「フレーム付１枚無料」が設定されているから、次に画像出力受付端末１の制御部３１は、これにしたがって処理を行う（ステップＳ１０７）。
【００７３】
ステップＳ１０７では、図９（ｂ）に示されるフローチャートに沿って、処理「フレーム付１枚無料」が行われる。
「フレーム付１枚無料」の処理（図９（ｂ））の場合には、画像出力受付端末１の制御部３１は、ディスプレイ４４に編集画面６００（図１０を参照）を表示して、利用者の好みの画像に所定のフレームが合成でき、その画像のプリントは無料で提供される旨を利用者に知らせる（ステップＳ３０１）。
【００７４】
図１０は、編集画面６００の例である。利用者が画像選択ウィンドウ６０５から好みの画像を１枚選択すると、画像表示ウィンドウ６０８に、選択した画像にフレームを合成した画像が表示される。
【００７５】
図９（ｂ）の説明に戻る。利用者により注文が決定されると、プリント物１枚が無料となる特殊な課金処理を実行する（ステップＳ３０２）。
【００７６】
利用者が入金を行うと、画像出力受付端末１の制御部３１は「領収書メッセージ」処理を行う。画像出力受付端末１の制御部３１は、合計金額、注文内容などに加えてプリント物１枚が無料である旨を表示する特殊なレシート５７をレシートジャーナル処理部（レシートプリンタ）４７で印刷して発行する（ステップＳ３０３）。
【００７７】
最後に画像出力受付端末１の制御部３１は、画像データを印刷中であることをディスプレイ４４に表示して利用者に知らせるとともに、ディスプレイ４４に通常の動画を表示する（ステップＳ３０４）。この例では、動画についての特殊な処理は設定されていないので、通常の動画が表示される。
【００７８】
ステップＳ３０１〜Ｓ３０４の後、画像出力受付端末１の制御部３１は、通常の処理と同様にステップＳ１１１（図４）で画像の印刷を開始し、すべての処理を終える。
【００７９】
以上に説明したように、利用者が入力した文字である「はっぴー」に対応して、予め定められた処理「フレーム付１枚無料」を画像出力受付端末１の制御部３１が行うことができる。
この例では、利用者による文字の入力を契機に、通常には課金処理が行われるところが、画像編集の処理に切り替わっている。切り替えに伴っては、利用者に対して、メニューの選択や処理切り替えの許可を得ようとしたり、画面上に詳細な説明文など表示して理解を得ようとしたりせずに、利用者にとって分かりやすい画面表示となる。また、フレームと画像の合成に必要な最小限の操作のみを要求するので、利用者が画像出力受付端末１の利用を煩わしく感じることはない。
【００８０】
（６．３  文字マッチング処理の例３；特殊な動画再生）
第３の例は、利用者が「ラッキー」という文字列を入力した場合である。この場合も、まず画像出力受付端末１の制御部３１は、この文字列データと文字マッチングデータ２８（図６）とを比較する。文字マッチングデータ２８中には「ラッキー」が設定されているので、画像出力受付端末１の制御部３１は利用者によって特定の文字が入力されたと判断し（ステップＳ１０６のＹ）、次のステップＳ１０７の処理に進む。
【００８１】
文字マッチングデータ２８中では、特定の文字「ラッキー」に処理「動画表示」が関係付けられているから、次に画像出力受付端末１の制御部３１は、これにしたがって処理を行う（ステップＳ１０７）。
【００８２】
ステップＳ１０７では、図９（ｃ）に示されるフローチャートに沿って、処理「動画表示」が行われる。この例では、動画についての特殊な処理の他に、特殊な処理は設定されていないので、通常の場合と同様に、通常の課金処理（ステップＳ４０１）および通常のレシート発行処理（ステップＳ４０２）が行われるが、画像データを印刷中にディスプレイ４４に表示される動画は通常のものとは異なり、特殊な動画６０７が表示される（ステップＳ４０３、図１１を参照）。
【００８３】
ステップＳ４０１〜Ｓ４０３の後、画像出力受付端末１の制御部３１は、通常の処理と同様にステップＳ１１１（図４）で画像の印刷を開始し、すべての処理を終える。
【００８４】
以上に説明したように、利用者が入力した文字である「ラッキー」に対応して、予め定められた処理「動画表示」を画像出力受付端末１の制御部３１が行うことができる。
この例では、利用者による文字の入力に対応して、通常の動画表示の処理のみが特殊な動画表示の処理に切り替わっている。切り替えに伴って、利用者による画像出力受付端末１の操作は増えないので、利用者が画像出力受付端末１の利用を煩わしく感じることはない。
【００８５】
以上の具体例が示すように、画像出力受付端末１は、利用者が入力した文字に対応して予め設定された特殊な処理を行うことができる。特殊な処理は、通常の処理の1部または全部を変更したものである。通常の処理から特殊な処理へ、または特殊な処理から通常の処理へ切り替わっても、余計なボタン操作などはないので、利用者にとって利便性が高い。
【００８６】
（７．文字マッチング管理）
次に、画像出力受付端末１の文字マッチング管理について図１２〜図１４を参照して説明する。文字マッチング管理は、上述したような、入力された文字に対応する処理を設定するためのものである。
図１２は、画像出力受付端末１の管理用システム構成である。画像出力受付端末１は、文字マッチング管理手段２９および表示手段２４等を備える。
【００８７】
文字マッチング管理手段２９は、管理者が入力した管理用データを取得して文字マッチングデータ２８を作成し、記憶部３２に記憶する。
表示手段２４は、文字マッチング管理の処理に関する各種の画面を表示するほか、文字マッチングデータ２８の内容を表示する。
【００８８】
図１３は、文字マッチング管理処理の概略を示すフローチャートである。
管理者によって管理モードで画像出力受付端末１が起動されると、画像出力受付端末１の制御部３１は、ディスプレイ４４上に管理メニュー画面（不図示）を表示する（ステップＳ５０１）。
【００８９】
管理者がメニューから文字マッチング管理を選択すると、画像出力受付端末１の制御部３１は管理画面７００（図１４を参照）を表示して、管理者に管理用データの入力を促す。
【００９０】
管理者は、管理画面７００上で文字マッチング機能を設定するための管理用データを入力する。例えば、文字マッチング機能の有効または無効を設定ボタン７０１で指定する、文字列の表現にゆらぎを含める、特定の文字または文字列をサーチ文字入力欄７０２に入力する、特定の文字に対応する処理を処理選択ボタン７０３で選択する、メッセージなどの具体的な内容を処理内容欄７０４に入力する、などである。なお、文字列の表現にゆらぎを含めることによって、利用者によって入力された文字が特定の文字に完全に一致していなくても、画像出力受付端末１の制御部３１は特定の文字に該当すると判断する。
【００９１】
これらの入力から、画像出力受付端末１の制御部３１は、文字マッチング機能を設定し、文字マッチングデータ２８を作成する（ステップＳ５０２）。文字マッチングデータ２８（図６）は、ここで設定された内容、すなわち特定の文字または文字列と、これに対応する処理、処理の実行ファイルのパスなどから構成されている。
【００９２】
最後に画像出力受付端末１の制御部３１は、記憶部３２に記憶されている文字マッチングデータ２８を更新して（ステップＳ５０３）、管理モードを終了する。
【００９３】
以上のようにして、画像出力受付端末１の文字マッチング機能を設定することができる。
ここで、文字マッチング管理の３つの例を具体的に説明する。
【００９４】
（７．１  文字マッチング管理の例１）
特定の文字または文字列と対応する処理を以下のように設定した場合。
特定の文字：「ＸＸ社」および「ＹＹマシン」
対応する処理：価格変更（１枚に付き１０円割引）
領収書メッセージ（宣伝ありがとうございました。）
【００９５】
特定の文字列を「ＸＸ社」および「ＹＹマシン」とし、宣伝効果のある文字列「ＸＸ社のプリント機ＹＹマシンでシールをプリントしました」などと利用者に入力してもらうかわりに、値引きなどの処理を行うようにする。値引きのほか、景品の提供などの処理を行ってもよい。
【００９６】
この場合には、宣伝の文字列入りのプリント物であっても画像出力受付端末１を利用したい、という利用者の意欲を喚起して、画像出力受付端末１の利用促進となる。画像出力受付端末１を設置する店舗にとっては、プリント枚数の増加による売り上げ増加を期待できる。
【００９７】
（７．２  文字マッチング管理の例２）
特定の文字または文字列と対応する処理を以下のように設定した場合。
特定の文字：「シー」または「ランド」
対応する処理：特殊なフレームやスタンプを追加
【００９８】
特定の文字列を「シー」または「ランド」として、利用者が「卒業旅行ｉｎねずみーランド」などと文字列を入力したときに、通常操作では合成できない特別なフレームやスタンプなどを提供する処理を行うようにする。特定の文字列を、観光地やテーマパークなどにちなんだもの、マスコットまたはキャラクターの名前、せりふ等としてもよい。
【００９９】
この場合には、利用者は画像出力受付端末１でしか入手できない特別なプリント物を得ることができる。それを見たり聞いたりした他の利用者によって画像出力受付端末１の利用に広がりが期待できる。学生や若い世代の間で広がりを見せれば、メモリカードやスマートホン内に保持されたままになっている画像データを画像出力受付端末１でプリント物にすることが流行し、店舗にとっては売り上げの向上が望める。
【０１００】
（７．３  文字マッチング管理の例３）
特定の文字または文字列と対応する処理を以下のように設定した場合。
特定の文字：「夏」または「海」
対応する処理：花火やアイスなどの夏の動画を表示
【０１０１】
特定の文字を「夏」または「海」などの季節感のあるものに設定し、文字列「海水浴  ビーチ  夏！」などと利用者が入力したときに、印刷中に表示される動画を通常とは異なる季節感のある動画に切り替えるようにする。
【０１０２】
この場合には、通常の動画と異なるので、印刷中の待ち時間に利用者を飽きさせず、画像出力受付端末１の印象が良くなって、その利用者による再度の画像出力受付端末１の利用が期待できる。
【０１０３】
また、動画やレシートで「ＯＯカメラ  ２Ｆ売り場  海水浴グッズセール中」等の特売の案内を表示すれば、利用者を他の商品へ誘導することができ、店舗にとっては販売促進となる。
【０１０４】
以上の具体例が示すように、文字マッチング管理により、特定の文字または文字列、それに対応する処理をさまざまに組み合わせることができる。店舗にとっては、画像出力受付端末１を利用した様々なサービスの提供が可能になり、画像出力受付端末１自体による売り上げの向上だけでなく、店舗の利用促進も期待できる。また、通常の処理に加えて余計なボタン操作などはないので、利用者に受け入れられやすく、画像出力受付端末１の利用の促進となる。
【０１０５】
（８．画像出力受付システム１００）
以上では、画像出力受付端末１において文字マッチング管理を行ったが、図１５に示すように、外部の管理用ＰＣ３または管理用サーバ５を用いて文字マッチング管理を行ってもよい。この場合には、管理用ＰＣ３または管理用サーバ５は文字マッチング管理装置となる。図１５は画像出力受付システム１００のシステム構成を示す図である。
【０１０６】
画像出力受付システム１００は、画像出力受付端末１、管理用ＰＣ３と管理用サーバ５がネットワーク９を介して接続されて構成される。管理用ＰＣ３および管理用サーバ５は、ネットワーク９を介して画像出力受付端末１にアクセス可能な端末機器である。なお、画像出力受付システム１００、管理用ＰＣ３および管理用サーバ５のネットワーク９への接続方法は、無線、有線を問わない。また、画像出力受付端末１と管理用ＰＣ３とはネットワーク９を介さずに、直接に接続されていてもよい（図１５中の破線）。
【０１０７】
図１６は、管理用ＰＣ３、管理用サーバ５を実現する情報処理装置のハードウエア構成図である。なお、図１６のハードウエア構成は一例であり、用途、目的に応じて様々な構成を採ることが可能である。図１６に示すように、情報処理装置は、制御部３１、記憶部３２、入力部３３、表示部３４、通信部３５等が、バス３６を介して接続される。各部の機能は、画像出力受付端末１のコンピュータ３０内の各部の機能と同様である。
【０１０８】
画像出力受付システム１００において、管理用ＰＣ３および管理用サーバ５は、画像出力受付端末１の文字マッチング管理を行うためのものであり、管理用ＰＣ３および管理用サーバ５の制御部３１は文字マッチング管理機能をもつ。管理者が管理用ＰＣ３または管理用サーバ５において文字マッチング機能の設定を行うと、ネットワーク９を介して画像出力受付端末１へ文字マッチングデータ２８が送信され、画像出力受付端末１の記憶部３２内の文字マッチングデータ２８が更新される。
【０１０９】
このように、画像出力受付端末１の文字マッチング管理を管理用ＰＣ３または管理用サーバ５などの外部装置で行うことにより、管理者が直接に画像出力受付端末１を操作しなくても管理ができる。したがって、１人の管理者によって離れた店舗の画像出力受付端末１を管理できたり、一度に複数の画像出力受付端末１に対して同じ設定を行えたりして、管理者にとって利便性が高く、店舗にとっても画像出力受付端末１の管理が容易となる。
【０１１０】
以上説明したように、本実施形態の画像出力受付端末１では、利用者が入力した文字に対応して、予め設定された特殊な処理を行うことができる。通常の処理から特殊な処理へ、または特殊な処理から通常の処理へ切り替わっても、余計なボタン操作などはないので、利用者が画像出力受付端末１の利用を煩わしく感じることはなく、利用者にとって利便性が高い。
また、文字と処理との組み合わせを様々に設定することができるので、処理によっては、画像出力受付端末１を利用したいという利用者の意欲を喚起したり、印刷中の待ち時間に利用者を飽きさせずに画像出力受付端末１の印象を良くしたりすることが可能となり、画像出力受付端末１の利用を促進でき、プリント物販売による売り上げ向上を期待できる。また、処理によっては、利用者を他の商品へ誘導することができ、店舗にとっては販売促進となる。
また、画像出力受付システム１００のように、画像出力受付端末１の管理を外部装置で行うことにより、遠隔で操作で画像出力受付端末１を管理でき、また、一度に複数の画像出力受付端末１に対して同じ設定を行えるので、管理者にとって利便性が高く、店舗にとっても画像出力受付端末１の管理が容易となる。
したがって、画像出力受付端末１は利用者にとって利便性が高く、付加価値の高い処理を行うことができる。
【０１１１】
以上、添付図面を参照しながら、本発明に係る画像出力受付端末等の好適な実施形態について説明したが、本発明は係る例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１２】
１…………画像出力受付端末
３…………管理用ＰＣ
５…………管理用サーバ
９…………ネットワーク
１１………タッチパネル付ディスプレイ
１２………メディア投入口
３０………コンピュータ
３１………制御部
３２………記憶部
２１………文字入力手段
２２………画像データ入力手段
２３………印刷手段
２４………表示手段
２６………文字マッチング手段
２７………文字合成手段
２８………文字マッチングデータ
２９………文字マッチング管理手段
５７………レシート
１００……画像出力受付システム
６００……編集画面
６０６……動画画像
７００……管理編集画面
【図１】
2014206851.tif 000003
【図２】
2014206851.tif 000004
【図３】
2014206851.tif 000005
【図４】
2014206851.tif 000006
【図５】
2014206851.tif 000007
【図６】
2014206851.tif 000008
【図７】
2014206851.tif 000009
【図８】
2014206851.tif 000010
【図９】
2014206851.tif 000011
【図１０】
2014206851.tif 000012
【図１１】
2014206851.tif 000013
【図１２】
2014206851.tif 000014
【図１３】
2014206851.tif 000015
【図１４】
2014206851.tif 000016
【図１５】
2014206851.tif 000017
【図１６】
2014206851.tif 000018